(57)【要約】【課題】ストリップの折れ曲がりを防止しつつ極板が製造できる鉛蓄電池用極板製造装置を得る。【解決手段】鉛合金シートのストリップの幅方向の両側にレシプロ方式のエキスパンド加工手段でエキスパンド加工を施して連続したエキスパンド格子体を形成する。次に、ストリップ２の幅方向の中央の非展開部にレシプロ方式の耳部打ち抜き手段６で耳部を打ち抜く。耳部打ち抜き手段６の後に、この耳部打ち抜き手段６から送り出す連続したエキスパンド格子体５の送り方向の脈動を吸収する緩衝手段１６を設ける。連続したエキスパンド格子体５にペースト状活物質を充填し、ペースト状活物質を充填したエキスパンド格子体を切断して鉛蓄電池用極板を製造する。【選択図】　図１
2004063151.tif 000002
【特許請求の範囲】
【請求項１】
鉛合金シートのストリップの幅方向の両側にレシプロ方式のエキスパンド加工手段でエキスパンド加工を施して連続したエキスパンド格子体を形成し、次に前記ストリップの幅方向の中央の非展開部にレシプロ方式の耳部打ち抜き手段で耳部を打ち抜き、次に連続した前記エキスパンド格子体にペースト状活物質を充填し、前記ペースト状活物質を充填した前記エキスパンド格子体を切断して鉛蓄電池用極板を製造する鉛蓄電池用極板製造装置において、
前記耳部打ち抜き手段の後に、該耳部打ち抜き手段から送り出される連続した前記エキスパンド格子体の送り方向の脈動を吸収する緩衝手段が設けられていることを特徴とする鉛蓄電池用極板製造装置。
【請求項２】
前記緩衝手段は、連続した前記エキスパンド格子体の面に当接されるローラと、前記エキスパンド格子体の脈動が伝わる前記ローラの振動を吸収するエアーシリンダと有することを特徴とする請求項１に記載の鉛蓄電池用極板製造装置。
【請求項３】
前記エアーシリンダは弾性ばねを介して前記ローラに連結されていることを特徴とする請求項２に記載の鉛蓄電池用極板製造装置。
【発明の詳細な説明】
【０００１】
【発明の属する技術分野】
本発明は、鉛合金シートよりなる長尺のストリップにレシプロ方式でエキスパンド加工を施しした後、活物質を充填して鉛蓄電池用極板を製造する鉛蓄電池用極板製造装置に関するものである。
【０００２】
【従来の技術】
従来のこの種の鉛蓄電池用極板製造装置は、図３（Ａ）（Ｂ）に示すようにして鉛蓄電池用極板の製造を行っていた。
【０００３】
即ち、この鉛蓄電池用極板製造装置では、ストリップフィーダー１から鉛合金シートよりなる長尺のストリップ２を繰り出し、このストリップ２をエキスパンド加工手段３に送り込む。エキスパンド加工手段３は、ローラからなる送り手段４でストリップ２を送りつつ、該ストリップ２の幅方向の左右の部分をレシプロ方式でエキスパンド加工して連続したエキスパンド格子体５を製造する。このエキスパンド格子体５は次に耳部打ち抜き手段６に送り込まれ、幅方向の左右のエキスパンド格子体５で挟まれた中央の非展開部７を加工して耳部８を形成する。エキスパンド格子体５は、次に充填機９に送り込まれて連続したエキスパンド格子体５にペースト１０が充填される。ペースト１０が充填されたエキスパンド格子体５は、次にデバイダ１１に送り込まれて切断され、極板１２を製造する。製造された極板１２は、次に乾燥機１３に送り込まれて１次乾燥される。乾燥された極板１２は、スタッカ１４に送り込まれて積み重ねられる。
【０００４】
【発明が解決しようとする課題】
しかしながら、従来のこのような鉛蓄電池用極板製造装置では、加工時に送出されるストリップ２の脈動によって、該ストリップ２が装置内の接触抵抗によって折れ曲がり、極板１２の生産できなくなる問題点があった。特に、エキスパンド格子体５を軽量化するためにストリップ２を薄型化すると、折れ曲がりの問題が多発する問題点があった。
【０００５】
本発明の目的は、ストリップの折れ曲がりを防止しつつ極板が製造できる鉛蓄電池用極板製造装置を提供することにある。
【０００６】
【課題を解決するための手段】
本発明は、鉛合金シートのストリップの幅方向の両側にレシプロ方式のエキスパンド加工手段でエキスパンド加工を施して連続したエキスパンド格子体を形成し、次にストリップの幅方向の中央の非展開部にレシプロ方式の耳部打ち抜き手段で耳部を打ち抜き、次に連続したエキスパンド格子体にペースト状活物質を充填し、ペースト状活物質を充填したエキスパンド格子体を切断して鉛蓄電池用極板を製造する鉛蓄電池用極板製造装置を対象とする。
【０００７】
本発明に係る鉛蓄電池用極板製造装置では、耳部打ち抜き手段の後に、該耳部打ち抜き手段から送り出される連続したエキスパンド格子体の送り方向の脈動を吸収する緩衝手段が設けられていることを特徴とする。
【０００８】
このように連続したエキスパンド格子体の送り方向の脈動を吸収する緩衝手段を設けると、送り方向の脈動が吸収され、ストリップの折れ曲がりを防止することができる。このため、ストリップが薄くなったり、柔らかくなってもエキスパンド加工が可能となる。
【０００９】
この場合、緩衝手段は、連続したエキスパンド格子体の面に当接されるローラと、エキスパンド格子体の脈動が伝わるローラの振動を吸収するエアーシリンダと有することが好ましい。このようにエアーシリンダがあると、その作動によりエキスパンド格子体の脈動が伝わるローラの振動を吸収し、エキスパンド格子体の脈動を吸収することができる。
【００１０】
また、エアーシリンダは、弾性ばねを介してローラに連結されていることが好ましい。このように弾性ばねが介在されていると、エアーシリンダの動作の遅れを弾性ばねの動作で吸収することができる。
【００１１】
【発明の実施の形態】
図１は本発明に係る鉛蓄電池用極板製造装置の実施の形態の一例を示す要部側面図である。
【００１２】
本例の鉛蓄電池用極板製造装置では、幅方向の両側にエキスパンド格子体５を形成したストリップ２は材料送りロール１５で耳部打ち抜き手段６に送り込まれ、該ストリップ２の幅方向の中央の非展開部に耳部８が打ち抜かれるようになっている。この耳部打ち抜き手段６の後に、該耳部打ち抜き手段６から送り出される連続したエキスパンド格子体５の送り方向の脈動を吸収する緩衝手段１６が設けられている。この緩衝手段１６は、連続したエキスパンド格子体５の上面に当接されるローラ１７と、このローラ１７を回転自在に支持するアーム１８と、このアーム１８を上下に揺動自在に支持する支点１９と、エキスパンド格子体５の脈動が伝わるローラ１７の振動をアーム１８を介して吸収するエアーシリンダ２０と、ローラ１７の振動が伝わるアーム１８とエアーシリンダ２０との間に介在された弾性ばね２１とを備えて構成されている。即ち、アーム１８の中間に、弾性ばね２１を介してエアーシリンダ２０が連結されている。
【００１３】
このように連続したエキスパンド格子体５の送り方向の脈動を吸収する緩衝手段１６を設けると、エキスパンド加工時や耳部打ち抜き加工時の送り方向の脈動がエアーシリンダ２０の作動で吸収され、ストリップ２の折れ曲がりを防止することができる。このため、ストリップ２が薄くなったり、柔らかくなってもエキスパンド加工が可能となる。このエアシリンダ２０の応答速度には限界があるため、応答速度を上げるため、弾性ばね２１を追加し、脈動緩衝効果を高めた。
【００１４】
図２は従来装置と本発明装置で、ストリップ２の厚さを変えた場合、運転可能速度がどのように推移するかを示した比較図である。従来装置はストリップ２の厚さが０．８　ｍｍよりも薄くなると、急激に運転可能速度が低下する。本発明装置では、ストリップ２の厚さが０．６　ｍｍまで薄くなっても、高速で運転することが可能であることが判った。
【００１５】
なお、ローラ１７は、アーム１８を省略して、該ローラ１７の中心軸に弾性ばね２１を介してエアーシリンダ２０を連結することもできる。
【００１６】
【発明の効果】
本発明に係る鉛蓄電池用極板製造装置では、耳部打ち抜き手段の後に、該耳部打ち抜き手段から送り出される連続したエキスパンド格子体の送り方向の脈動を吸収する緩衝手段が設けられているので、エキスパンド格子体の送り方向の脈動が吸収され、ストリップまたはエキスパンド格子体の折れ曲がりを防止することができる。このため、ストリップが薄くなったり、柔らかくなってもエキスパンド加工を行うことができる。
【００１７】
この場合、緩衝手段が、連続したエキスパンド格子体の面に当接されるローラと、エキスパンド格子体の脈動が伝わるローラの振動を吸収するエアーシリンダと有して構成されていると、エアーシリンダの作動によりエキスパンド格子体の脈動が伝わるローラの振動を吸収し、エキスパンド格子体の脈動を吸収することができる。
【００１８】
また、エアーシリンダが、弾性ばねを介してローラに連結されていると、エアーシリンダの動作の遅れを弾性ばねの動作で吸収することができる。
【図面の簡単な説明】
【図１】本発明に係る鉛蓄電池用極板製造装置の実施の形態の一例を示す要部側面図である。
【図２】従来装置と本発明装置で、ストリップの厚さを変えた場合の運転可能速度の推移を示す比較図である。
【図３】（Ａ）は従来の鉛蓄電池用極板製造装置の側面図、（Ｂ）は（Ａ）に示す装置で加工されるストリップの推移を示す平面図である。
【符号の説明】
１　ストリップフィーダー
２　ストリップ
３　エキスパンド加工手段
４　送り手段
５　エキスパンド格子体
６　耳部打ち抜き手段
７　非展開部
８　耳部
９　充填機
１０　ペースト
１１　デバイダ
１２　極板
１３　乾燥機
１４　スタッカ
１５　材料送りロール
１６　緩衝手段
１７　ローラ
１８　アーム
１９　支点
２０　エアーシリンダ
２１　弾性ばね
【図１】
2004063151.tif 000003
【図２】
2004063151.tif 000004
【図３】
2004063151.tif 000005